(57)【要約】【課題】蓄電池の異常が発生した場合の安全性を向上することを目的とする。【解決手段】蓄電池を収納する引出部５４、及び引出部５４を収納する収納部５６を設け、レール５８及び床下開閉モータ４８によって、収納部５６から引出部５４を屋外へ放出可能に構成して、熱感知センサ３８によって蓄電池または蓄電池が収納された引出部５４内等の蓄電池近傍の温度を検出し、検出した温度がＴ１以上の場合に、換気扇４０を作動し、検出した温度がＴ２以上の場合に、冷却装置５０を作動し、検出した温度がＴ３以上の場合に、床下開閉モータ４８を作動して、引出部５４を収納部５６から屋外へ放出する。【選択図】図２
2010218746.tif 000002
【特許請求の範囲】
【請求項１】
蓄電池を収納する収納位置から蓄電池を放出する放出手段と、
蓄電池の異常を検出する検出手段と、
前記検出手段によって前記異常が検出された場合に、前記収納位置から蓄電池を放出するように前記放出手段を制御する制御手段と、
を備えた蓄電池収納装置。
【請求項２】
前記検出手段は、蓄電池の温度を検出することによって蓄電池の異常を検出し、前記制御手段は、前記検出手段によって予め定めた第１の温度以上の温度が検出された場合に、前記放出手段を制御する請求項１に記載の蓄電池収納装置。
【請求項３】
前記収納位置の換気を行う換気手段を更に備え、前記制御手段が、前記検出手段によって前記第１の温度より低い第２の温度以上の温度が検出された場合に、前記換気手段を作動するように更に制御する請求項２に記載の蓄電池収納装置。
【請求項４】
蓄電池を冷却する冷却手段を更に備え、前記制御手段が、前記検出手段によって前記第１の温度と前記第２の温度の間の第３の温度以上の温度が検出された場合に、前記冷却手段を作動するように更に制御する請求項３に記載の蓄電池収納装置。
【請求項５】
蓄電池の異常を警告する警告手段を更に備え、前記制御手段が、前記検出手段によって前記異常が検出された場合に、前記警告手段を作動するように更に制御する請求項１〜４の何れか１項に記載の蓄電池収納装置。
【請求項６】
前記収納位置における煙の発生を検知する検知手段を更に備え、前記制御手段が、前記検知手段によって煙を検知した場合に、前記収納位置から蓄電池を放出するように前記放出手段を更に制御する請求項１〜５の何れか１項に記載の蓄電池収納装置。
【発明の詳細な説明】
【技術分野】
【０００１】
本発明は、蓄電池収納装置にかかり、特に、住宅で使用する電力を蓄電する蓄電池を収納する蓄電池収納装置に関する。
【背景技術】
【０００２】
近年、電力を蓄電する蓄電池は、住宅で使用する電力を蓄電したり、電気自動車やハイブリッド自動車などで使用する電力を蓄電したり、様々な技術分野で使用されるようになってきている。
【０００３】
ところで、蓄電池は、蓄電性能の劣化や、過充電等によって発熱し、蓄電池内の溶液が漏れたりすることが考えられる。また、電気自動車などでは、衝突などによっても蓄電内の溶液が漏れたりする。そこで、特許文献１に記載の技術では、電気自動車の異常を検出して、異常を検出した場合に、蓄電池の冷却剤、中和剤、吸収剤、消化剤等を噴射することが提案されている。
【先行技術文献】
【特許文献】
【０００４】
【特許文献１】特開平９−７４６０３号公報
【発明の概要】
【発明が解決しようとする課題】
【０００５】
しかしながら、特許文献１に記載の技術では、蓄電池の異常を検出して各種溶剤を噴射するようにしているが、蓄電池自体は元の場所に収納されたままであるため、蓄電池内の溶液の漏れ等による弊害を考えると、改善の余地がある。
【０００６】
本発明は、上記事実を考慮して成されたもので、蓄電池の異常が発生した場合の安全性を向上することを目的とする。
【課題を解決するための手段】
【０００７】
上記目的を達成するために請求項１に記載の発明は、蓄電池を収納する収納位置から蓄電池を放出する放出手段と、蓄電池の異常を検出する検出手段と、前記検出手段によって前記異常が検出された場合に、前記収納位置から蓄電池を放出するように前記放出手段を制御する制御手段と、を備えることを特徴としている。
【０００８】
請求項１に記載の発明によれば、蓄電池は、放出手段によって蓄電池を収納する収納位置からされる。
【０００９】
また、検出手段では、蓄電池の異常が検出される。検出手段は、例えば、蓄電池の温度異常などを異常を検出する。
【００１０】
そして、制御手段では、検出手段によって蓄電池の異常が検出された場合に、収納位置から蓄電池を放出するように放出手段が制御される。
【００１１】
すなわち、蓄電池の異常が発生した場合には、蓄電池が収納位置から外部へ放出されるので、蓄電池の異常が発生した場合に安全性を向上することができる。
【００１２】
検出手段及び制御手段は、例えば、請求項２に記載の発明のように、検出手段が蓄電池の温度を検出することによって蓄電池の異常を検出し、制御手段が、検出手段によって予め定めた第１の温度以上の温度が検出された場合に、放出手段を制御するようにしてもよい。これによって、蓄電池が加熱されて第１の温度以上になった場合に、蓄電池を外部へ放出することができるので、蓄電池の加熱による弊害を防止することができる。
【００１３】
また、請求項３に記載の発明のように、収納位置の換気を行う換気手段を更に備えて、制御手段が、検出手段によって第１の温度より低い第２の温度以上の温度が検出された場合に、換気手段を作動するように更に制御するようにしてもよい。これによって、蓄電池を放出する前に換気を行うことで、蓄電池の冷却を行うことができる。
【００１４】
さらに、請求項４に記載の発明のように、蓄電池を冷却する冷却手段を更に備えて、制御手段が、検出手段によって第１の温度と第２の温度の間の第３の温度以上の温度が検出された場合に、冷却手段を作動するように更に制御するようにしてもよい。これによって、蓄電池を放出する前に強制的に冷却することができる。
【００１５】
なお、請求項５に記載の発明のように、蓄電池の異常を警告する警告手段を更に備えて、制御手段が、検出手段によって蓄電池の異常が検出された場合に、警告手段を作動するように更に制御するようにしてもよい。
【発明の効果】
【００１６】
以上説明したように本発明によれば、蓄電池の異常が検出された場合に、蓄電池を収納位置から放出するようにしたので、蓄電池の異常が発生した場合の安全性を向上することができる、という効果がある。
【図面の簡単な説明】
【００１７】
【図１】本発明の実施の形態に係わる蓄電池収納装置が設けられた建物の概略構成を示す図である。
【図２】本発明の実施の形態に係わる蓄電池収納装置の蓄電池収納庫を示す図である。
【図３】本発明の実施の形態に係わる蓄電池収納装置の概略構成を示す図であり、（Ａ）は断面図であり、（Ｂ）は平面図である。
【図４】本発明の実施の形態に係わる蓄電池収納装置の構成を示すブロック図である。
【図５】本発明の実施の形態に係わる蓄電池収納装置における電力管理装置の制御部で行われる処理の流れの一例を示すフローチャートである。
【図６】本発明の実施の形態に係わる蓄電池収納装置の蓄電池の温度上昇に従って行う処理を示す図である。
【発明を実施するための形態】
【００１８】
以下、図面を参照して本発明の実施の形態の一例を詳細に説明する。図１は、本発明の実施の形態に係わる蓄電池収納装置が設けられた建物の概略構成を示す図である。
【００１９】
本発明の実施の形態に係わる蓄電池収納装置１０が設けられた建物は、蓄電池３０を用いて、住宅で使用する電気を蓄電及び給電する電力管理装置１２を備えている。
【００２０】
インバータ変換器１４は、電力会社から供給される交流電力を直流電力に変換して電力管理装置１２に供給すると共に、電力管理装置１２から供給される直流電力を交流電力に変換して電力会社へ供給することが可能とされている。
【００２１】
太陽電池１６は、太陽エネルギーを電力に変換するソーラーパネルを有し、該ソーラーパネルによって変換された電力をに電力管理装置１２へ供給する。
【００２２】
発電ユニット１８は、燃料電池を有し、該燃料電池によって発電して、発電した電力を電力管理装置１２へ供給する。
【００２３】
電力管理装置１２は、電力会社から供給される電力や、太陽電池から供給される電力、発電ユニット１８から供給される電力の蓄電池への供給を管理する。また、電力管理装置１２は、ハイブリッド自動車や電気自動車等の走行用蓄電池２６を備えた自動車２８が接続可能とされ、自動車２８の走行用蓄電池２６を充電することが可能とされている。
【００２４】
電力管理装置１２が管理する蓄電池３０は、床下に設けられた蓄電池収納装置１０内に収納される。
【００２５】
蓄電池収納装置１０は、図２点線で示すように、床下から屋外側へ出し入れ可能に設けられた引出部５４を備えている。詳細には、図３（Ａ）、（Ｂ）に示すように、蓄電池収納装置１０は、蓄電池３０を収納する引出部５４、及び該引出部５４を収納する収納部５６を有する。
【００２６】
また、蓄電池収納装置１０は、レール５８及び床下開閉モータ４８が設けられており、床下開閉モータ４８を駆動することによって、レール５８上を引出部５４が移動して、収納部５６内の収納位置と、屋外の放出位置へ移動する。
【００２７】
引出部５４には、蓄電池３０を冷却するための冷却装置５０が設けられていると共に、蓄電池３０の温度を感知するための熱感知センサ３８が設けられている。
【００２８】
収納部５６には、煙を感知する煙感知センサ４２が設けられていると共に、換気扇４０が設けられている。
【００２９】
また、蓄電池収納装置１０を制御する、電力管理装置１２に含まれる制御部３６についても、引出部５４の奥側に設けられている。制御部３６及び蓄電池収納装置１０は、それぞれ箱形形状の筐体内に設けられており、万が一浸水しても蓄電池３０、床下開閉モータ４８、及び制御部３６への浸水を防止するようになっている。
【００３０】
続いて、本発明の実施の形態に係わる蓄電池収納装置１０の構成について説明する。図４は、本発明の実施の形態に係わる蓄電池収納装置１０の構成を示すブロック図である。
【００３１】
蓄電池収納装置１０は、上述の電力管理装置１２を含んで構成されており、電力管理装置１２は、蓄電池３０への充放電や温度調整等の制御を行う。蓄電池３０には、充放電制御部３２が接続されており、充放電制御部３２によって蓄電池３０への充電及び蓄電池３０に蓄電された電力の住宅や自動車２８への給電等が制御される。
【００３２】
充放電制御部３２には、照明２２、空調装置２４、電気温水器２０等の家電へ電力を供給するための配電盤３４、インバータ変換器１４、太陽電池１６、及び発電ユニット１８等が接続されている。
【００３３】
また、充放電制御部３２は、電力会社から供給され、インバータ変換器１４によって変換された直流電力を蓄電池３０へ供給したり、蓄電池３０に蓄電された電力をインバータ変換器１４へ供給することによってインバータ変換器１４によって交流電力に変換して電力会社へ供給したり、インバータ変換器１４によって変換された直流電力を配電盤３４に供給したり、蓄電池３０に蓄電された電力を配電盤３４に供給したり、太陽電池１６から供給される電力を充電するための電力として蓄電池３０に供給したり、太陽電池１６から供給される電力をインバータ変換器１４を介して電力会社へ供給したり、発電ユニット１８から供給される電力を充電するための電力として蓄電池３０に供給したり、発電ユニット１８から供給される電力をインバータ変換器１４を介して電力会社へ供給したりする。充放電制御部３２による各電力の流れの切換は、制御部３６によって制御される。
【００３４】
制御部３６には、熱感知センサ３８、換気扇４０、煙感知センサ４２、モータ駆動回路４６、及び冷却装置５０が接続されている。
【００３５】
熱感知センサ３８は、蓄電池３０の温度または蓄電池３０が収納された引出部５４内等の蓄電池３０近傍の雰囲気温度を検出して検出結果を制御部３６に出力する。
【００３６】
換気扇４０は、蓄電池３０の発熱等によって温められた収納部５６内の熱を屋外へ排出することによって蓄電池３０の温度を下げると共に、床下の湿気を換気するようになっている。
【００３７】
煙感知センサ４２は、蓄電池３０の異常等によって発生する煙を検出し、検出結果を制御部３６に出力する。
【００３８】
モータ駆動回路４６は、床下開閉モータ４８を駆動することにより、引出部５４をレール５８に沿って移動させる。
【００３９】
冷却装置５０は、蓄電池３０の充放電によって発熱した場合に、蓄電池３０を冷却する。例えば、冷却装置５０は、揮発性液体等を放出することによって蓄電池３０を冷却したり、冷媒の循環サイクル等を用いて蓄電池３０を冷却する。
【００４０】
また、制御部３６には、屋内に設けられた屋内警報装置５２に接続されている。屋内警報装置５２は、モニタやスピーカ等を備え、蓄電池３０の異常が発生した場合に、蓄電池３０の異常を表す音声出力や表示を行うようになっている。なお、異常内容についても報知するようにしてもよい。
【００４１】
次に上述のように構成された本発明の実施の形態に係わる蓄電池収納装置１０における電力管理装置１２の制御部３６で行われる処理について説明する。図５は、本発明の実施の形態に係わる蓄電池収納装置１０における電力管理装置１２の制御部３６で行われる処理の流れの一例を示すフローチャートである。
【００４２】
ステップ１００では、各センサの検出結果が取得されてステップ１０２へ移行する。すなわち、熱感知センサ３８や煙感知センサ４２の検出結果を制御部３６が取得する。
【００４３】
ステップ１０２では、煙感知センサ４２によって煙を感知したか否か判定され、該判定が否定された場合にはステップ１０４へ移行し、肯定された場合にはステップ１２６へ移行する。
【００４４】
ステップ１０４では、熱感知センサ３８によって予め定めた温度Ｔ１以上の温度が検出されたか否か判定され、該判定が否定された場合にはステップ１００に戻って上述の処理が繰り返され、判定が肯定された場合にはステップ１０６へ移行する。
【００４５】
ステップ１０６では、換気扇４０が作動されてステップ１０８へ移行する。すなわち、蓄電池３０の温度が上昇しているので、換気扇４０を作動することによって換気を行い、蓄電池３０を冷却する。
【００４６】
ステップ１０８では、換気扇４０が作動したことが報知されてステップ１１０へ移行する。例えば、屋内警報装置５２のモニタ等に、蓄電池３０の温度が上昇して換気扇４０を作動したことを表す表示を行ったり、スピーカー等から音声出力を行う。従って、建物の住人は、屋内警報装置５２のモニタの表示や音声出力等により、蓄電池３０が温度上昇していることを知ることができる。
【００４７】
ステップ１１０では、熱感知センサ３８によって予め定めた温度Ｔ２（Ｔ１＜Ｔ２）以上の温度が検出されたか否か判定され、該判定が否定された場合にはステップ１１２へ移行し、肯定された場合にはステップ１１６へ移行する。
【００４８】
ステップ１１２では、熱感知センサ３８によって感知された温度がＴ１未満か否か判定され、該判定が否定された場合にはそのままステップ１００に戻って上述の処理が繰り返され、判定が肯定された場合にはステップ１１４へ移行する。
【００４９】
ステップ１１４では、換気扇４０及び換気扇４０が作動したことを表す報知が停止されてステップ１００に戻って上述の処理が繰り返される。
【００５０】
一方、ステップ１１６では、冷却装置５０が作動されてステップ１１８へ移行する。すなわち、蓄電池３０が加熱して更に温度上昇しているので、冷却装置５０を作動することによって蓄電池３０を冷却する。
【００５１】
ステップ１１８では、冷却装置５０が作動したことが報知されてステップ１２０へ移行する。例えば、屋内警報装置５２のモニタ等に、蓄電池３０が更に加熱して冷却装置５０を作動したことを表す表示を行ったり、スピーカー等から音声出力を行う。従って、建物の住人は、屋内警報装置５２のモニタの表示や音声出力等により、蓄電池３０の温度上昇が止まらずに更に温度上昇していることを知ることができる。
【００５２】
ステップ１２０では、熱感知センサ３８によって予め定めた温度Ｔ３（Ｔ２＜Ｔ３）以上の温度が検出されたか否か判定され、該判定が否定された場合にはステップ１２２へ移行し、肯定された場合にはステップ１２６へ移行する。
【００５３】
ステップ１２２では、熱感知センサ３８によって検知された温度がＴ２未満か否か判定され、該判定が否定された場合にはそのままステップ１００に戻って上述の処理が繰り返され、判定が肯定された場合にはステップ１２４へ移行する。
【００５４】
ステップ１２４では、冷却装置５０及び冷却装置５０が作動したことを表す報知が停止されてステップ１００に戻って上述の処理が繰り返される。
【００５５】
一方、ステップ１２６では、床下開閉モータ４８が作動されてステップ１２８へ移行する。すなわち、制御部３６がモータ駆動回路４６を制御することによって床下開閉モータ４８を駆動して、蓄電池収納装置１０の引出部５４を屋外へ放出する。これによって引出部５４に収納された蓄電池３０が屋外へ放出されるので、蓄電池３０の発熱によって建物に影響を与えることがなくなる。なお、このとき、充放電制御部３２は、蓄電池３０の充放電を全て停止して、接続を切断し、蓄電池３０の更なる加熱を防止するようにしてもよい。
【００５６】
ステップ１２８では、蓄電池３０の異常によって屋外へ蓄電池３０を放出したことが報知されて一連の処理を終了する。例えば、屋内警報装置５２のモニタ等に、蓄電池を屋外へ放出したことを表す表示を行ったり、スピーカー等から音声出力を行う。従って、建物の住人は、屋内警報装置５２のモニタの表示や音声出力等により、蓄電池３０の温度上昇によって異常が発生して、屋外へ放出されたことを知ることができる。
【００５７】
すなわち、本実施の形態に係わる蓄電池収納装置１０は、蓄電池３０の劣化や過充電等によって蓄電池３０の温度が上昇すると、図５に示すように、予め定めた温度Ｔ１以上（時間ｔ１）になったところで換気扇４０が作動されることによって蓄電池３０の冷却が行われる。それでもさらに温度上昇が止まらず温度Ｔ２以上（時間ｔ２）になると、冷却装置５０が作動されて強制的に蓄電池３０が冷却される。またそれでも温度上昇が止まらずに温度Ｔ３以上（時間ｔ３）になると、蓄電池３０が屋外へ放出される。これによって、蓄電池３０の異常が発生した場合でも屋外に蓄電池３０が放出されるため、更なる加熱等による弊害を防止することができ、安全性を向上することができる。
【００５８】
なお、上記の実施の形態では、ステップ１１０において温度Ｔ２以上になった場合に、直ぐに冷却装置５０を作動するようにしたが、これに限るものではなく、例えば、ステップ１１０は、温度Ｔ２以上が所定時間継続したか否かを判定するようにしてもよい。すなわち、温度Ｔ２以上が所定時間以上継続した場合に冷却装置５０によって強制的に蓄電池３０を冷却するようにしてもよい。
【００５９】
また、上記の実施の形態では、屋内警報装置５２は、モニタや音声出力によって警報を行うようにしたが、これに限るものではなく、警報ランプや警報音等を用いて警報を行うようにしてもよい。
【符号の説明】
【００６０】
１０    蓄電池収納装置
１２    電力管理装置
３０    蓄電池
３６    制御部
３８    熱感知センサ
４０    換気扇
４２    煙感知センサ
４６    モータ駆動回路
４８    床下開閉モータ
５０    冷却装置
５２    屋内警報装置 
【図１】
2010218746.tif 000003
【図２】
2010218746.tif 000004
【図３】
2010218746.tif 000005
【図４】
2010218746.tif 000006
【図５】
2010218746.tif 000007
【図６】
2010218746.tif 000008